(57)【要約】   【課題】  物品の展示のために３次元的に組み立てることで安価に構成できる簡易的な展示具の提供。  【解決手段】  展示具１００において、長方形または正方形の奥行きを有する貫通開口部（１０１）と、前記貫通開口部の周りを所定幅で取り囲むとともに奥行きを有する枠部材（１）とを、展開時に平坦となる紙を含む１枚のシート材料から３次元的に組み立て可能にする。【選択図】  図２
2006219188.tif 000002
【特許請求の範囲】
【請求項１】
長方形または正方形の奥行きを有する貫通開口部（１０１）と、前記貫通開口部の周りを所定幅で取り囲むとともに奥行きを有する枠部材（１）とを、
展開時に平坦となる紙を含む１枚のシート材料から３次元的に組み立て可能にしたことを特徴とする展示具（１００）。
【請求項２】
前記枠部材は、前記貫通開口部の上下縁部を形成する第１山折線（１１、１４）と、前記貫通開口部の左右縁部を形成する第１切込線（８、９）と、
前記貫通開口部を上下に２分割する分割線（５）と、
前記貫通開口部の奥行きを形成するように前記第１山折線の夫々から前記分割線まで形成される第１片部材（２、１０）と、
前記枠部材の上下縁部の第２山折線（１ａ、１ｂ）から形成される第２片部材（１５、２０）と、
前記枠部材の左右縁部の第３山折線（１ｃ、１ｄ）から形成される第３片部材（２５、３２）と、
前記第２片部材の上下縁部の第４山折線（１５ａ、２０ａ）から形成される第４片部材（１６、２１）と、
前記第３片部材の左右縁部の第５山折線（２５ａ、３２ａ）から形成される第５片部材（２６、３３）と、
を一体形成したことを特徴とする請求項１に記載の展示具。
【請求項３】
前記第１片部材は、前記分割線から前記第１山折線に向かう左右一対の固定用第１切込線（６、７）をさらに形成し、
前記第５片部材は、その左右縁部の第６山折線（２６ａ、３３ａ）から形成される第６片部材（２７、３４）をさらに設け、前記第６片部材は前記固定用第１切込線に対して直交して嵌合される固定用第２切込線（２８、２９、３５、３６）を形成したことを特徴とする請求項２に記載の展示具。
【請求項４】
前記第４片部材は、前記固定用第１切込線の間の距離寸法に相当する幅寸法を有するとともに、前記第２片部材は前記第５片部材と面接続される第２鍔部（１８、１９、２２、２３）を形成したことを特徴とする請求項３に記載の展示具。
【請求項５】
前記第３片部材は、前記第２片部材と面接続される第１鍔部（３０、３１、３７、３８）を形成したことを特徴とする請求項２乃至４のいずれか１項に記載の展示具。
【請求項６】
前記第１片部材は、夫々の縁部に第７山折線（１２、１３）を形成し、
前記７山折線上には、固定用第３切込線をさらに形成し、
前記第４片部材は前記固定用第３切込線に挿入される第３鍔部（１７、２４）を形成したことを特徴とする請求項２乃至５のいずれか１項に記載の展示具。
【請求項７】
前記シート材料または前記各切込線あるいは双方は、予め切断されるか、切込みまたはミシン目が形成されていることを特徴とする請求項２乃至６のいずれか１項に記載の展示具。
【請求項８】
前記各山折線は、前記シート材料上に印刷表示されるかまたはプレス加工で肉薄に加工されていることを特徴とする請求項２乃至７のいずれか１項に記載の展示具。
【請求項９】
前記第１山折線と、前記第１切込線と、前記分割線とを前記シート材料に対して一体的に形成して、前記枠部材で囲まれる物品収納用の底面部を形成することを特徴とする請求項２乃至８のいずれか１項に記載の展示具。
【発明の詳細な説明】
【技術分野】
【０００１】
本発明は、展示具に係り、特に子供用の玩具として特に好適な展示具に関する。
【背景技術】
【０００２】
プラモデルキット（以下、キットと呼ぶ）は、専用の紙箱に収納された袋入りのランナーから複数の部品を切り離し、同封された組み立て説明書である立体分解図を参照しながら、個別の部品を嵌合または接着剤を用いて手順通りに組み立てることで、完成までのプロセスを楽しむものである。
【０００３】
子供用のキットは、２色成型などで予め着色されているものが多い。また、より熟練した大人用または一部のプラモデラー用としては、専用塗料などを用いてより創作の自由度を増したキットが主流となっている。
【０００４】
これらのキットを収納するための紙箱には、作者の創作意欲を刺激するために完成後の内容物（プラモデル）をリアルに描写した通称「箱絵」と呼ばれるイラストが印刷されている。これらの紙箱は、プラモデルの完成後に通常は廃棄処分される。
【０００５】
一方、内容物品の保護目的および贈答用としても使用できるようにした組み立て式包装用箱が提案されている。この提案によれば、物品を開口部を設けた枠部材で覆うために箱を、一枚の紙材料から組み立てることができるように構成されている。（特許文献１）
【特許文献１】特開平１１−４３１３８号公報。
【発明の開示】
【発明が解決しようとする課題】
【０００６】
しかしながら、上記の特許文献１の提案になる組み立て式包装用箱によれば、物品の取り出し後に、キットの紙箱と同様に廃棄処分される。
【０００７】
ところで、キットの完成後のプラモデルの展示用の展示ケースとしては、各種の専用アクリルケースが販売されている。しかしながら、これらは一般に高価であり、場合によってはキット購入価格を上回る場合もある。
【０００８】
したがって、本発明は上記の問題点に鑑みて成されたものであり、物品の展示のために３次元的に組み立て可能にすることで、例えば、物品の収容後に廃棄処分されるべき紙箱を有効利用することができる安価な展示具の提供を目的としている。
【課題を解決するための手段】
【０００９】
上述した課題を解決し、目的を達成するために、本発明によれば、長方形または正方形の奥行きを有する貫通開口部（１０１）と、前記貫通開口部の周りを所定幅で取り囲むとともに奥行きを有する枠部材（１）とを、展開時に平坦となる紙を含む１枚のシート材料から３次元的に組み立て可能にしたことを特徴としている。
【００１０】
また、前記枠部材は、前記貫通開口部の上下縁部を形成する第１山折線（１１、１４）と、前記貫通開口部の左右縁部を形成する第１切込線（８、９）と、前記貫通開口部を上下に２分割する分割線（５）と、前記貫通開口部の奥行きを形成するように前記第１山折線の夫々から前記分割線まで形成される第１片部材（２、１０）と、前記枠部材の上下縁部の第２山折線（１ａ、１ｂ）から形成される第２片部材（１５、２０）と、前記枠部材の左右縁部の第３山折線（１ｃ、１ｄ）から形成される第３片部材（２５、３２）と、前記第２片部材の上下縁部の第４山折線（１５ａ、２０ａ）から形成される第４片部材（１６、２１）と、前記第３片部材の左右縁部の第５山折線（２５ａ、３２ａ）から形成される第５片部材（２６、３３）とを一体形成したことを特徴としている。
【００１１】
また、前記第１片部材は、前記分割線から前記第１山折線に向かう左右一対の固定用第１切込線（６、７）をさらに形成し、前記第５片部材は、その左右縁部の第６山折線（２６ａ、３３ａ）から形成される第６片部材（２７、３４）をさらに設け、前記第６片部材は前記固定用第１切込線に対して直交して嵌合される固定用第２切込線（２８、２９、３５、３６）を形成したことを特徴としている。
【００１２】
また、前記第４片部材は、前記固定用第１切込線の間の距離寸法に相当する幅寸法を有するとともに、前記第２片部材は前記第５片部材と面接続される第２鍔部（１８、１９、２２、２３）を形成したことを特徴としている。
【００１３】
また、前記第３片部材は、前記第２片部材と面接続される第１鍔部（３０、３１、３７、３８）を形成したことを特徴としている。
【００１４】
また、前記第１片部材は、夫々の縁部に第７山折線（１２、１３）を形成し、前記７山折線上には、固定用第３切込線をさらに形成し、前記第４片部材は前記固定用第３切込線に挿入される第３鍔部（１７、２４）を形成したことを特徴としている。
【００１５】
また、前記シート材料または前記各切込線あるいは双方は、予め切断されるか、切込みまたはミシン目が形成されていることを特徴としている。
【００１６】
また、前記各山折線は、前記シート材料上に印刷表示されるかまたはプレス加工で肉薄に加工されていることを特徴としている。
【００１７】
そして、前記第１山折線と、前記第１切込線と、前記分割線とを前記シート材料に対して一体的に形成して、前記枠部材で囲まれる物品収納用の底面部を形成することを特徴としている。
【発明の効果】
【００１８】
本発明によれば、物品の展示のために３次元的に組み立てることで安価に構成できる
簡易的な展示具を提供することができる。
【発明を実施するための最良の形態】
【００１９】
以下に、本発明の好適な一実施形態について添付の各図面を参照して述べる。ここで、本発明は様々な修正と変更が可能であり、その内の特定の事例が図面に図示されており、以下に詳細に記述されることになる。しかしながら、これらに限定されず特許請求の範囲に規定される範囲において種々の構成が可能であることは言うまでもない。
【００２０】
なお、以下の説明では説明の都合から上下、左右として各構成について定義しているが、これらは展示具を横置きにした場合を想定した場合の定義に過ぎず、縦置きにしたときには上下が左右になり、左右が上下になることは言うまでもない。また、キットとして用いる場合には、貫通開口部の中にランナー部品が収容されることとなる。
【００２１】
先ず、図１は、本発明の一実施形態である展示具１００の展開図である。また、図２は、図１の展示具１００を折り曲げて完成後に、正面側の左斜め上方から見た外観斜視図である。
【００２２】
図１において、厚さ１ｍｍ〜３ｍｍ前後の厚紙または段ボール紙あるいは厚さ０．５ｍｍ前後のプラスチックシート材料が準備される。このシート材料の上に、図示のような絵柄が印刷され、実線で示した外形部分が裁断される。また、全体に渡り、所定色の印刷またはキットの完成品を反映する模様が全面的に印刷される。
【００２３】
さらに、図示のように矩形の破線で囲まれた横長の枠部材１が印刷される。この枠部材１の中央には図２に示した貫通開口部１０１の上下縁部を形成するために、破線で図示された第１山折線１１、１４と、貫通開口部１０１の左右縁部を形成する第１切込線８、９とが形成されている。また、図２でＤで示した貫通開口部１０１の奥行きを形成するように上下に２分割される分割線５と、貫通開口部１０１の奥行きを形成するように第１山折線１１、１４の夫々から上記の分割線５にかけて第１片部材２、１０が形成される。
【００２４】
また、枠部材１の上下縁部となる破線で図示された第２山折線１ａ、１ｂからは、第２片部材１５、２０が形成されており、さらに枠部材１の左右縁部には破線で図示した第３山折線１ｃ、１ｄから第３片部材２５、３２が夫々形成されている。
【００２５】
さらに、第２片部材１５、２０の上下縁部の破線で図示された第４山折線１５ａ、２０ａからは、第４片部材１６、２１が夫々形成されている。また、第３片部材２５、３２の左右縁部の第５山折線２５ａ、３２ａからは第５片部材２６、３３が夫々一体形成されている。
【００２６】
以上の構成によれば、第１片部材２、１０を分割線５と第１切込線８、９に沿って切り離し、第１山折線１１、１４に沿って山折りすることで、貫通開口部１０１を最初に形成する。これに続き、第２片部材１５、２０を第２山折線１ａ、１ｂに沿って山折りする。さらに、第３片部材２５、３２を第３山折線１ｃ、１ｄに沿って山折りする。
【００２７】
そして、第４片部材１６、２１を第４山折線２０ａ、１５ａに沿って山折りし、第５片部材２６、３３を第５山折線３２ａ、２５ａに沿って山折りすることで、枠部材１の中央に貫通開口部１０１を形成した状態にすることができる。
【００２８】
この状態では、各片部材同士が互いに固定されておらず不安定な状態となっているので、接着テープや糊などを用いて適宜接着することで固定状態にしておき、貫通開口部１０１中にキットの完成プラモデルを飾るようにできる。このとき、奥行きは無制限となるので、例えば机上に枠部材１が縦横に立てかけるようにしておけば、完成後に前後にはみ出るような大型モデルであっても貫通開口部１０１内に飾ることができるようになる。あるいは、展示具１００を壁面に対して両面接着テープなどで貼り付けておき作品を飾ることも可能になる。
【００２９】
しかし、上記のような接着テープや糊などは、できれば使用したくない。そこで、各片部材同士が互いに固定されるように、上記の第１片部材２、１０には、分割線５から第１山折線１１、１４に向かう左右一対の固定用第１切込線６、７が約半分の深さまで形成されている。また、第５片部材２６、３３には、その左右縁部の第６山折線２６ａ、３３ａから第６片部材２７、３４がさらに形成されており、これらの第６片部材２７、３４には上記の固定切込線６、７に対して直交して嵌合される固定用第２切込線２８、２９、３５、３６が約半分の深さまで形成されている。
【００３０】
さらに、第４片部材１６、２１は、上記の固定用第１切込線６，７の間の距離寸法に相当する幅寸法を有するようにして破線図示の山折線を介して形成されるとともに、第２片部材１５、２０には第５片部材２６、３３の裏側に潜入される第２鍔部１８、１９、２２、２３が図示のように台形状に夫々形成されている。
【００３１】
また、第３片部材２５、３２には、第２片部材１５、２０の裏側に潜入される第１鍔部３０、３１、３７、３８が切断線５５、５６、５７、５８から切り離されるようにして形成されている。
【００３２】
加えて、貫通開口部１０１の奥行きを形成する第１片部材２、１０の夫々の縁部には第７山折線１２、１３に沿うように山折りされる片部材３、４が形成されており、上記の第４片部材は第７山折線に沿うように折り曲げられた片部材３、４の裏側に潜入される第２鍔部１７、２４をさらに形成している。
【００３３】
ここで、シート材料の各切込線については、予め切断することで手間が省けることになるが、単なる印刷のみでも良く、または部分的な切込みまたはミシン目として形成しても良い。一方、各山折線については、印刷表示されるかまたはプレス加工で肉薄に加工することで山折りを簡単にできるようにすると良い。
【００３４】
以上のように、左右一対の固定用第１切込線６、７に対して固定用第２切込線２８、２９、３５、３６を夫々直交させて勘合して完成することで、接着剤などが不要となる。
【００３５】
すなわち、図３の図１の展示具１００を折り曲げて完成後に、背面側の左斜め上方から見た外観斜視図に図示のように、各鍔部１８、１９、２２、２３が第５片部材２６、３３の裏面側に位置し、第６片部材２７と不図示の第６片部材３４とが貫通開口部１０１の左右内側面を形成し、さらに鍔部３７、３８が第３片部材３２、２５（不図示）の裏面側に位置するようにして完成できる。
【００３６】
最後に、図４は展示具１００をキット用にした状態を示した外観斜視図である。本図において、既に説明済みの構成または部品については同様の符号を附して説明を割愛すると、上記の貫通開口部を形成するための第１山折線と、第１切込線と、分割線５とシート部材に対して一体的に形成した状態で図示のように予め完成させておく。
【００３７】
そして、このようにして完成された枠部材で囲まれる底面部を形成することで、例えばプラモデル類のランナー付き部品を収容しておく。さらにこの上から透明シートなどで梱包して、内容物が外から見えるようにする。
【００３８】
以上のように準備することで、購入する側の子供は、中身を確認して安心して購入でき、さらにキットの製作後に作品を展示具１００の貫通開口部１０１内に飾ることができる。また、開口部１０１は貫通しているので、展示具１００に展示した作品を開口部１０１を介して、展示具１００の正面および背面から見て楽しむことができるようになる。さらに、従来廃棄処分していた箱を有効利用でき、ごみ量を削減できるようになる。
【００３９】
なお、物品としては上記のキットの他にいわゆる食玩と呼ばれるノベルティグッズ、各種小物類などがある。
【図面の簡単な説明】
【００４０】
【図１】は、本発明の一実施形態である展示具１００の展開図である。
【図２】は、図１の展示具１００を折り曲げて完成後に、正面側の左斜め上方から見た外観斜視図である。
【図３】は、図１の展示具１００を折り曲げて完成後に、背面側の左斜め上方から見た外観斜視図である。
【図４】は、展示具１００をキット用にした状態を示した外観斜視図である。
【符号の説明】
【００４１】
１  枠部材
１０１  貫通開口部
１００  展示具
１１、１４  第１山折線
８、９  第１切込線
５  分割線
２、１０  第１片部材
１ａ、１ｂ  第２山折線
１５、２０  第２片部材
１ｃ、１ｄ  第３山折線
２５、３２  第３片部材
１５ａ、２０ａ  第４山折線
１６、２１  第４片部材
２５ａ、３２ａ  第５山折線
２６、３３  第５片部材
６、７  固定用第１切込線
２６ａ、３３ａ  第６山折線
２７、３４  第６片部材
２８、２９、３５、３６  固定用第２切込線
【図１】
2006219188.tif 000003
【図２】
2006219188.tif 000004
【図３】
2006219188.tif 000005
【図４】
2006219188.tif 000006